(57)【要約】【課題】  内部にメモリチップなどが収納された薄型のカードが装着されるカードコネクタであって、カードを識別する検知機構を狭い領域内に配置できるようにしたカードコネクタを提供する。【解決手段】  カードが装着される収納空間の側方に検知機構４０が設けられている。検知機構４０は、上下に動作する可動検知部材４１と、この可動検知部材４１に装着されたトーションばね４２の腕部で形成された弾性可動接点４２ｂ，４２ｃを有している。検知板ばね５８が対向する位置に識別溝が形成されていないカードが装着されていると、蓋体５０が閉鎖姿勢に回動したときに、検知板ばね５８がカードの上に乗り上がり、可動検知部材４１が上昇した姿勢になる。このとき、弾性可動接点４２ｃが固定接点４４から外れ、固定接点４３と固定接点４４とが非導通となる。【選択図】図９
2009110709.tif 000002
【特許請求の範囲】
【請求項１】
内部に電子回路を有するとともに裏面に外部接続部が設けられたカードが装着されるカードコネクタにおいて、
筐体本体と前記筐体本体に連結された蓋体とを有し、前記筐体本体には、上方に開口部を有する収納空間が形成されて、前記カードがその裏面を前記収納空間の底部に向けて装着可能とされ、前記蓋体は、前記筐体本体との間に支点を有して前記開口部から離れる開放姿勢と前記開口部を覆う閉鎖姿勢との間で回動可能であり、さらに前記蓋体は、前記閉鎖姿勢から前記支点が動く方向へ移動して前記開口部から離れないようにロックされるロック姿勢に設定可能であり、
前記蓋体は金属板で形成されて、前記蓋体に検知板ばねが一体に形成され、前記筐体本体には、前記収納空間の側方に検知機構が配置されており、
前記蓋体がロック姿勢となったときに、前記検知板ばねは、第１の姿勢または前記収納空間に設けられた前記カードの一部分によって前記第１の姿勢よりも持ち上げられる第２の姿勢のいずれかに設定され、前記検知板ばねが第１の姿勢のときと第２の姿勢のときとで、前記検知機構の検知状態が切換えられることを特徴とするカードコネクタ。
【請求項２】
前記筐体本体では、前記収納空間に前記カードの側部と対向する内側面が形成されているとともに、前記内側面から側方に窪む機構凹部が形成されており、前記検知機構が前記機構凹部内に設けられている請求項１記載のカードコネクタ。
【請求項３】
前記検知機構には、前記収納空間内に収納される前記カードの厚み方向へ移動可能な可動検知部材と、前記可動検知部材を前記押圧板ばねに押し付ける付勢部材とが設けられており、前記可動検知部材の上下動作によって接点の接続状態が切換えられる請求項１または２記載のカードコネクタ。
【請求項４】
前記付勢部材は弾性可動接点であり、前記可動検知部材の上下動作によって前記弾性可動接点と前記筐体本体内に固定された固定接点との接続状態が切換えられる請求項３記載のカードコネクタ。
【請求項５】
第１の姿勢の前記検知板ばねによって前記可動検知部材が押し下げられているときに、接点が導通し、前記検知板ばねが第２の姿勢になり前記可動検知部材が上昇すると接点の導通が解除される請求項３または４記載のカードコネクタ。
【請求項６】
前記筐体本体の前記収納空間の底部には、前記カードに設けられた前記外部接続部と接触する接続端子が設けられている請求項１ないし５のいずれかに記載のカードコネクタ。
【請求項７】
前記接続端子が前記外部接続部と接触していると認識しているときに、前記検知機構の検知出力に応じて、前記収納空間内に装着された前記カードの種別を識別する制御部が設けられている請求項６記載のカードコネクタ。
【請求項８】
前記収納空間内には、種類の相違するカードが装着可能であり、前記カードに前記検知板ばねに対向する溝が設けられているか否かによって、前記カードの種類が識別される請求項７記載のカードコネクタ。
【発明の詳細な説明】
【技術分野】
【０００１】
本発明は、小型で薄型のケース内にメモリチップなどの電子回路が収納されたカードが装着されるカードコネクタに係り、特にカードが装着されたときに検知機構を動作させることができるカードコネクタに関する。
【背景技術】
【０００２】
デジタルカメラやデジタルビデオカメラ、またはパーソナルコンピュータなどには、メモリカードと称される小型で薄型の電子機能カードが装着されて使用される。この電子機能カードは、合成樹脂材料で形成された小型で薄型のケース（ハウジングと称されることもある）内に、メモリチップや、メモリコントローラなどとして機能するＩＣチップが収納されている。そして、ケースの裏面に、内部の電子回路に導通する複数の外部接続部が設けられている。
【０００３】
この電子機能カードはカードコネクタに装着されて使用され、カードコネクタには、前記電子機能カードに設けられた複数の外部接続部が個別に接触する複数の接続端子が設けられている。
【０００４】
前記カードコネクタとしては、筐体本体に開口するスリット状の挿入口へ向けて、電子機能カードをその表面および裏面と平行な向きで差し込むスロットインタイプと、以下の特許文献１および特許文献２などに記載されているように、電子機能カードを開放状態の蓋体に差し込んで、電子機能カードと共に蓋体を筐体本体に向けて閉じることで、電子機能カードを筐体本体に装着する開閉タイプとが知られている。開閉タイプは、スロットインタイプのように、筐体本体の内部にロック機構やカード排出機構を設けることが不要であるため、比較的簡単な構造で安価で且つ小型に構成することが可能である。
【０００５】
前記スロットインタイプでは、電子機能カードが筐体本体内の所定位置まで挿入されたときに動作する検知機構が設けられており、同様に開閉タイプにおいても、電子機能カードが装着されて蓋体が閉じたときに動作する検知機構が設けられていることが好ましい。
【０００６】
以下の特許文献２に記載された発明では、蓋体に板片が設けられ、電子機能カードが開放姿勢の蓋体の内部に差し込まれると、カードの底面によって前記板片が下向きに押し下げられる。カードを保持した蓋体を筐体本体に向けて回動し、カードが筐体本体に装着された後に、蓋体をスライドして蓋体をロックすると、スライドする蓋体と共に移動する前記板片によって、筐体本体に設けられたスイッチの接点が動作させられる。一方、蓋体に電子機能カードが差し込まれていない状態で、蓋体を閉じてスライドさせたときには、前記板片がスイッチの接点に当たることなく素通りし、接点が動作させられることはない。
【特許文献１】特開２００５−３０２３３４号公報
【特許文献２】特開２００３−８６３０２号公報
【発明の開示】
【発明が解決しようとする課題】
【０００７】
前記特許文献２に記載されているカードコネクタには、蓋体に差し込まれる電子機能カードの底面に押されて下向きに突出する板片と、この板片によって動作させられる接点が設けられているが、前記板片および接点は、筐体本体にカードが装着されたときに、カードの底面よりも下の領域に配置される。そのため、カードコネクタ全体の厚み寸法を薄くすることが困難である。
【０００８】
また、特許文献２に記載されたカードコネクタでは、筐体本体の底部側に接続端子が設けられ、この接続端子が電子機能カードの底面に設けられた外部接続部と接触する。この外部接続部と前記接続端子とが接触することにより、接続端子から電子機能カードに対して持ち上げ力が作用する。一方、前記板片とこの板片で動作させられている接点も電子機能カードの底面側に位置しているため、この板片および接点からも、カードに持ち上げ力が作用する。
【０００９】
このように、蓋体がロックされている状態で、蓋体に保持されている電子機能カードに対して主に持ち上げ力のみが作用するため、カードの厚み寸法が規格内でやや薄いものであるなどの場合に、接続端子と外部接続部との接触が不安定となることがあり、外部振動などが作用したときに、接続端子と外部接続部との接触の確実性が損なわれるおそれがある。
【００１０】
本発明は、上記従来の課題を解決するものであり、蓋体が開閉式のものであっても薄型に構成でき、しかもカードが装着されて蓋体がロックされたことを高精度に検知でき、さらにカードが装着されたきにその種別の識別が可能なカードコネクタを提供することを目的としている。
【課題を解決するための手段】
【００１１】
本発明は、内部に電子回路を有するとともに裏面に外部接続部が設けられたカードが装着されるカードコネクタにおいて、
筐体本体と前記筐体本体に連結された蓋体とを有し、前記筐体本体には、上方に開口部を有する収納空間が形成されて、前記カードがその裏面を前記収納空間の底部に向けて装着可能とされ、前記蓋体は、前記筐体本体との間に支点を有して前記開口部から離れる開放姿勢と前記開口部を覆う閉鎖姿勢との間で回動可能であり、さらに前記蓋体は、前記閉鎖姿勢から前記支点が動く方向へ移動して前記開口部から離れないようにロックされるロック姿勢に設定可能であり、
前記蓋体は金属板で形成されて、前記蓋体に検知板ばねが一体に形成され、前記筐体本体には、前記収納空間の側方に検知機構が配置されており、
前記蓋体がロック姿勢となったときに、前記検知板ばねは、第１の姿勢または前記収納空間に設けられた前記カードの一部分によって前記第１の姿勢よりも持ち上げられる第２の姿勢のいずれかに設定され、前記検知板ばねが第１の姿勢のときと第２の姿勢のときとで、前記検知機構の検知状態が切換えられることを特徴とするものである。
【００１２】
本発明のカードコネクタでは、検知板ばねが蓋体と一体に形成されていることにより、部品点数を削減でき、蓋体が必要以上に厚くなるのを防止できる。また、筐体本体は、前記収納空間の側方に検知機構が収納されている。検知板ばねが蓋体と一体であり、検知機構がカードの側部でカードの厚さ方向に動作するものであるため、カードコネクタ全体を薄型に構成できる。
【００１３】
また、前記検知板ばねによって、収納空間内のカードを上方から押圧させることが可能である。この押圧力によって、カードの裏面に設けられている外部接続部と、筐体本体に設けられている接続端子との接触を安定させることができる。
【００１４】
本発明は、前記筐体本体では、前記収納空間に前記カードの側部と対向する内側面が形成されているとともに、前記内側面から側方に窪む機構凹部が形成されており、前記検知機構が前記機構凹部内に設けられているものである。
【００１５】
筐体本体では、収納空間と連続する機構凹部内に検知機構を配置しているため、収納空間内に装着されるカードの側部と接近した領域に検知機構を配置できる。よって、カードコネクタの幅寸法を短くでき、さらに、カードの一部で持ち上げられる検知板ばねの変形に応じて、そのすぐに横位置する検知機構を確実に動作させることができる。
【００１６】
本発明は、前記検知機構には、前記収納空間内に収納される前記カードの厚み方向へ移動可能な可動検知部材と、前記可動検知部材を前記押圧板ばねに押し付ける付勢部材とが設けられており、前記可動検知部材の上下動作によって接点の接続状態が切換えられるものとして構成できる。
【００１７】
また、前記付勢部材は弾性可動接点であり、前記可動検知部材の上下動作によって前記弾性可動接点と前記筐体本体内に固定された固定接点との接続状態が切換えられるものである。このように、付勢部材を弾性可動接点として使用すると、検知機構を構成する部品数をさらに削減することができる。
【００１８】
また本発明は、第１の姿勢の前記検知板ばねによって前記可動検知部材が押し下げられているときに、接点が導通し、前記検知板ばねが第２の姿勢になり前記可動検知部材が上昇すると接点の導通が解除されるものが好ましい。
【００１９】
上記構成では、筐体本体の収納空間内にカードが装着されていないときに、検知機構の接点が導通状態であり、収納空間にカードが装着され、蓋体がスライド移動してロックされると、検知機構の接点が非導通状態に切換えられる。このように、カードが装着されたときにのみ接点が非導通になると、カードが正常に装着されていないのに検知状態となる誤動作を防止できる確率を高くできる。
【００２０】
本発明では、前記筐体本体の前記収納空間の底部には、前記カードに設けられた前記外部接続部と接触する接続端子が設けられている。
【００２１】
そして、前記接続端子が前記外部接続部と接触していると認識しているときに、前記検知機構の検知出力に応じて、前記収納空間内に装着された前記カードの種類を識別する制御部が設けられている。
【００２２】
例えば、前記収納空間内には、種類の相違するカードが装着可能であり、前記カードに前記検知板ばねに対向する溝が設けられているか否かによって、前記カードの種別が識別される。
【００２３】
上記のように、筐体本体に設けられた接続端子の導通状態からカードが正常に装着されたと認識し、その後に検知機構により、カードの種別を認識するようにすると、カードの装着と種類の認識を正確に行なえる確率が高くなる。
【００２４】
なお、前記カードの種類とはカードの種別であって、カードの内部回路に供給すべき電圧の違い、すなわち駆動電圧の違い、あるいはカード内に設けられているフラッシュメモリなどのメモリ容量の違いなどである。あるいは、前記カードの種別とは、書き込み禁止や消去禁止のカードと、書き込みや消去を自由にできるカードの区別を意味しているものであってもよい。
【００２５】
また、前記接続端子が外部接続部に導通したか否かの検知を行なうことなく、前記検知機構の動作を認識することで、カードが筐体本体に正常に装着されたか否かを検知するものであってもよい。
【発明の効果】
【００２６】
本発明では、カードが正常に装着されて蓋体がロックされたことが検知機構で確実に検知できる。また、蓋体を薄く構成でき、カードコネクタ全体を薄型に構成できる。さらに、検知機構の誤動作も生じにくいものとなる。
【発明を実施するための最良の形態】
【００２７】
図１ないし図３は、カードコネクタ２０に第１のカードを装着し蓋体をロック姿勢とするまでの過程を順に示す斜視図、図４ないし図６は、カードコネクタ２０に第２のカードを装着し蓋体をロック姿勢とするまでの過程を順に示す斜視図である。図７は、カードコネクタ２０の筐体本体を示す斜視図、図８は検知機構の構造を示す部分斜視図である。図９は、第１のカードが装着されたときの検知機構の動作を示す右側面図、図１０は、第２のカードが装着されたときの検知機構の動作を示す右側面図である。図１１（Ａ）（Ｂ）は、蓋体に設けられたロック板ばねの動作を説明するために左側面図である。
【００２８】
図１２以下には、前記カードコネクタ２０に装着されるカードが示されている。図１２は第１のカードＣ１の平面図、図１３は第１のカードＣ１の左側面図、図１４は第１のカードＣ１を斜め下側から示す斜視図である。図１５は第２のカードＣ２の平面図である。
【００２９】
（第１のカードの形状）
図１２ないし図１４に示される第１のカードＣ１は、いわゆるマルチメディアカードなどのメモリデバイスとして使用されるものである。第１のカードＣ１は、プラスチック製のケース（ハウジング）１を有しており、このケース１内に、フラッシュメモリなどのメモリチップや、メモリコントローラとして機能するＩＣチップなどが収納されている。
【００３０】
図１３に示すように、ケース１は、表面１ａと裏面１ｂを有している。表面１ａと裏面１ｂは互いに平行な平面であり、表面１ａと裏面１ｂの間隔が第１のカードＣ１の厚み寸法Ｔである。図１４に示すように、裏面１ｂの前方には、複数個（１３個）の外部接続部５が露出している。外部接続部５の表面はケース１の裏面１ｂとほぼ同一面である。
【００３１】
ここで、「表面」と「裏面」とは外部接続部５を有する面と有しない面を識別するための便宜上の名称であり、カードコネクタ２０に対し、表面１ａを上向きにして装着してもよいし、裏面１ｂを上向きにして装着してもよい。
【００３２】
図１２ないし図１４に示すように、ケース１は前端部１ｃと、後端部１ｄを有している。また右側部１ｅと左側部１ｆを有している。
【００３３】
図１３に示すように、前端部１ｃは、表面１ａと垂直な平面であり、表面１ａと裏面１ｂとの角部には前方傾斜面２が形成されている。後端部１ｄは、表面１ａおよび裏面１ｂに垂直な平面である。右側部１ｅと左側部１ｆは、表面１ａおよび裏面１ｂと垂直な平面である。図１２に示すように、前端部１ｃと右側部１ｅとの境界部および前端部１ｃと左側部１ｆとの境界部、すなわち前端部１ｃの左右両側部には、円筒面の一部である前方コーナー曲面３，３が形成されている。後端部１ｄと右側部１ｅとの境界部および後端部１ｄと左側部１ｆとの境界部、すなわち後端部１ｄの左右両側部にも、円筒面の一部である後方コーナー曲面４，４が形成されている。
【００３４】
図１２に示すように、ケース１１を表面１ａ側から見た平面図では、ケース１の形状は前後に延びる中心線Ｏ−Ｏを介して左右に対称の形状である。
【００３５】
ケース１の前方部分では、右側部１ｅと左側部１ｆから中心線Ｏ−Ｏに向けて窪む識別溝６，６が形成されている。識別溝６，６は、右側部１ｅおよび左側部１ｆと平行で且つ右側部１ｅおよび左側部１ｆから中心線Ｏ−Ｏに向けて距離Ｗ１だけ内側に位置する内側面６ａ，６ａと、裏面１ｂと平行な内底面６ｃ，６ｃとを有している。そして、右側の識別溝６の後端部と右側部１ｅとの間、および左側の識別溝６の後端部と左側部１ｆとの間には、それぞれ傾斜部６ｂ，６ｂが形成されている。傾斜部６ｂ，６ｂは、後方に向かうにしたがって中心線Ｏ−Ｏから徐々に離れる面であり、傾斜部６ｂ，６ｂは平面または所定の曲率を有する曲面である。
【００３６】
図１３に示すように、識別溝６，６は、ケース１の表面１ａから裏面１ｂに向けて窪んでいる。ケース１の表面１ａから識別溝６の内底面６ｃまでの距離、すなわち識別溝６，６の表面１ａから裏面１ｂに向けた深さ寸法ｔ１は、第１のカードＣ１の全体の厚み寸法Ｔのほぼ１／２である。また、前記識別溝６，６が表面１ａから窪んで形成された結果、それよりも裏面側には、裏面１ｂと前記内底面６ｃ，６ｃとで挟まれた部分である薄肉部７，７が形成されている。この薄肉部７，７の厚さ寸法ｔ２も、第１のカードＣ１の全体の厚み寸法Ｔのほぼ１／２である。
【００３７】
識別溝６，６は、前端部１ｃの左右両側部にて前方に開放されている。よって、図１４に示すように、前端部１ｃの厚さ寸法は、その中央のほとんどの部分がＴであるが、両側部においては、厚さ寸法はｔ２である。図１２に示すように、識別溝６，６の前後の長さ寸法Ｌ１は、ケース１の前端部１ｃから、傾斜部６ｂ，６ｂの後端部までの距離である。
【００３８】
傾斜部６ｂ，６ｂは、識別溝６，６とケース１の表面１ａとの間に段差部を形成しており、この段差部が、第１のカードＣ１を識別するための識別部として機能している。
【００３９】
ケース１の右側部１ｅと左側部１ｆでは、識別溝６，６の後端部よりも後方へ距離Ｌ２だけ空けた位置に、中間凹部８，８が形成されている。中間凹部８，８の前後方向の長さ寸法Ｌ３は、前記識別溝６，６の前後方向の長さ寸法Ｌ１よりも短い。
【００４０】
中間凹部８，８は、右側部１ｅおよび左側部１ｆよりも中心線Ｏ−Ｏ側に位置し且つ右側部１ｅおよび左側部１ｆと平行な内側端８ａ，８ａを有している。右側部１ｅから内側端８ａまでの幅寸法ならびに左側部１ｆから内側端８ａまでの幅寸法Ｗ２は、前記識別溝６，６の幅寸法Ｗ１とほぼ同じである。
【００４１】
中間凹部８，８は前内端８ｂと後内端８ｃを有しており、前内端８ｂと後内端８ｃとの間の前後の間隔が、中間凹部８，８の長さ寸法Ｌ３である。
【００４２】
図１３と図１４に示すように、中間凹部８，８は内底端８ｄ，８ｄを有しており、この内底端８ｄ，８ｄは、裏面１ｂと平行である。表面１ａから内底端８ｄ，８ｄまでの寸法が、中間凹部８，８の深さ寸法ｔ３であり、この深さ寸法ｔ３は、前記識別溝６の深さ寸法ｔ１よりも大きい。
【００４３】
図１２に示すように、ケース１の後端部１ｄよりも少し内側には、表面１ａから窪む摘み凹部９が形成されている。
【００４４】
（第２のカードの形状）
図１５は、第２のカードＣ２を示す図１２と同じ平面図である。
【００４５】
第２のカードＣ２はケース１１を有しており、このケース１１内に、メモリチップやその他のＩＣチップなどが収納されている。
【００４６】
第２のカードＣ２のケース１１に形成された識別溝１６は、第１のカードＣ１の識別溝６よりも長いが、これ以外の形状について、第１のカードＣ１と第２のカードＣ２は、全てにおいて同じである。すなわち、第２のカードＣ２のケース１１の厚み寸法Ｔと幅寸法Ｗ０および長さ寸法は、第１のカードＣ１のケース１と同じである。第２のカードＣ２のケース１１に形成されている中間凹部８，８の形状と寸法および位置は、第１のカードＣ１のケース１と同じである。その他、図１５では、第１のカードＣ１のケース１と同じ部分には同じ符号を付してその詳しい説明を省略する。
【００４７】
図１５に示す第２のカードＣ２では、前方の左右両側に識別溝１６，１６が形成されている。この識別溝１６，１６には、中心線Ｏ−Ｏに近づく位置に内側面１６ａが形成されている。内側面１６ａの位置、すなわち識別溝１６，１６の幅寸法Ｗ１は、図１２に示すケース１の識別溝６，６の幅寸法Ｗ１と同じである。またケース１１の表面１ａから、内底面１６ｃまでの寸法、すなわち識別溝１６，１６の深さ寸法は、図１３に示すケース１の識別溝６，６の深さ寸法ｔ１と同じである。第２のカードＣ２のケース１１には、識別溝６，６よりも裏面側に薄肉部１７，１７が設けられているが、この薄肉部１７，１７の幅寸法および厚み寸法も、第１のカードＣ１の薄肉部７，７の厚さ寸法ｔ２と同じである。
【００４８】
ただし、図１５に示すケース１１の識別溝１６，１６および薄肉部１７，１７の長さ寸法Ｌ１１、すなわち前端部１ｃから傾斜部１６ｂの後端までの距離Ｌ１１は、図１２に示すケース１の識別溝６，６および薄肉部７，７の長さ寸法Ｌ１よりも長い。よって、第２のカードＣ２では、識別部として機能する段差部である傾斜部１６ｂ，１６ｂが、第１のカードＣ１での傾斜部６ｂ，６ｂよりも後端部１ｄ側に離れた位置にある。
【００４９】
第２のカードＣ２のケース１１に形成されている中間凹部８，８の長さ寸法Ｌ３は、ケース１の中間凹部８，８の長さ寸法Ｌ３と同じである。また、図１５に示す長さ寸法Ｌ１１＋Ｌ１２は、図１２に示す長さ寸法Ｌ１＋Ｌ２と同じである。
【００５０】
第２のカードＣ２のケース１１の裏面１ｂに現れている外部接続部の数および位置ならびに形状は、図１４に示す第１のカードＣ１のケース１の裏面１ｂに現れている外部接続部５と全く同じである。
【００５１】
第１のカードＣ１と第２のカードＣ２では、識別溝６，１６および薄肉部７，１７の長さ寸法Ｌ１，Ｌ１１が相違しているため、カードコネクタ２０ではこの相違を検知することで、いずれのカードが装着されたかを認識できる。
【００５２】
第１のカードＣ１と第２のカードＣ２の仕様の違いは、例えば、駆動電圧の違い、すなわち、電源用の外部接続部を介してケース１，１１内の回路に供給すべき電圧の違いである。または、前記仕様の相違は、ケース１，１１の内部に収納されているメモリチップのメモリ容量の違いである。あるいは、第１のカードＣ１と第２のカードＣ２のいずれか一方は、容量の大きいメモリチップを有して、主にデータの記憶に使用され、他方は、所定のプログラムを内蔵した読み取り専用メモリが内蔵されて、制御プログラムを供給する用途として使用される。
【００５３】
図１２と図１５に示すように、第１のカードＣ１のケース１と第２のカードＣ２のケース１１は、いずれも中心線Ｏ−Ｏに対して左右対称形状であり、全体の平面形状が長方形である。そのため、ケース１，１１の内部のスペースを有効的に広く使用することができ、小型で且つ薄型でありながら、内部のＩＣチップやその他の回路を集積して配置することが可能である。
【００５４】
しかも、識別溝６，１６と、中間凹部８が、ケース１，１１の表面１ａ側からのみ窪んでいるため、ケースの表裏を見分けやすい。また、識別溝６，１６が、左右両側部１ｅ，１ｆにおいて、前方の領域に形成されているため、ケースの前後も区別しやすい。そのため、カードコネクタ２０に向けて誤った向きで挿入されるのを防止しやすい。
【００５５】
（カードコネクタの構造）
次に、第１のカードＣ１と第２のカードＣ２が共に装着されるカードコネクタ２０の構造を説明する。
【００５６】
図１および図４に示すように、カードコネクタ２０は筐体本体２１を有している。筐体本体２１は合成樹脂製であり、図７に示すように長方形の枠体形状である。カードコネクタ２０および筐体本体２１の向きは、Ｙ１方向が前方でＹ２方向が後方、Ｘ１方向が右方向でＸ２方向が左方向である。
【００５７】
図７に示すように、筐体本体２１は、前側板２２と後側板２３および右側板２４と左側板２５を有し、さらに底板２６が一体に形成されている。底板２６の前方と後方の２箇所には、底部を上下に貫通する窓部２７，２８が形成されている。筐体本体２１には、前側板２２と後側板２３および右側板２４と左側板２５、さらに底板２６で囲まれた収納空間３０が形成されている。収納空間３０は上方に向けて開口する開口部を有している。
【００５８】
右側板２４と左側板２５のＸ方向での横方向の内幅寸法は、図１２に示す第１のカードＣ１と図１５に示す第２のカードＣ２の幅寸法Ｗ０よりもわずかに大きい寸法であり、前側板２２と後側板２３との間のＹ方向での縦方向の内幅寸法は、第１のカードＣ１と第２のカードＣ２の縦寸法よりもわずかに大きい寸法である。また、底板２６の上面から、前側板２２と後側板２３および右側板２４と左側板２５の上縁までの内高さ寸法は、第１のカードＣ１と第２のカードＣ２の厚さ寸法Ｔとほぼ同じである。
【００５９】
すなわち、筐体本体２１に形成された収納空間３０の容積は、第１のカードＣ１と第２のカードＣ２の体積よりもわずかに大きい程度であり、収納空間３０の開口部の形状および大きさは、第１のカードＣ１と第２のカードＣ２の平面形状および平面積よりもわずかに大きい程度である。
【００６０】
底板２６には、複数の接続端子３１と複数の引出し端子３２が設けられている。個々の接続端子３１と引出し端子３２は一対一で連続しており、リン青銅板などのばね性を発揮できる金属板の表面に金メッキなどが施されて形成されている。それぞれの接続端子３１と引出し端子３２は互いに連続した状態で、底板２６の内部にインサートされている。
【００６１】
接続端子３１は、前方の窓部２７の内部に向けて延びている。それぞれの接続端子３１の先部には上向きに山折りされた接触部３１ａが形成されている。接続端子３１は、接触部３１ａが底板２６の上面のよりも上方に位置するように、やや斜め上方に向けて延びている。また、引出し端子３２は、後方の窓部２８内に延び、その先の接続部３２ａは、窓部２８からやや下向きに延びている。このカードコネクタ２０が、各種電子機器に実装されるときは、個々の引出し端子３２の前記接続部３２ａが、回路基板に形成されたランドパターンに設置され、リフロー工程などによって半田付けされる。
【００６２】
図７に示すように、筐体本体２１には、右側板２４の一部が外側へ一体に突出して形成された収納凸部３５が設けられている。筐体本体２１の前側板２２と後側板２３および右側板２４と左側板２５ならびに底板２６は、一定の厚みをする平坦な壁であり、筐体本体２１の外形状は、第１のカードＣ１および第２のカードＣ２よりもひと回り大きい直方体である。ただし、前記収納凸部３５だけが前記直方体から側方へ突出する形状である。
【００６３】
収納凸部３５の内部には機構凹部３６が形成されている。この機構凹部３６は、右側板２４の内側面２４ａから右方向（Ｘ１方向）へ窪むように形成されている。この機構凹部３６内に検知機構４０が設けられている。機構凹部３６が収納空間３０と連続する空間であるため、機構凹部３６内に収納されている検知機構４０を、収納空間３０内に装着されている第１のカードＣ１または第２のカードＣ２の右側部１ｅに接近させた位置に配置できる。また、検知機構４０が、右側板２４から右側方へ突出する収納凸部３５の内部に設けられているため、検知機構４０を設けても、筐体本体２１の高さ寸法（厚み寸法）が大きくならない。すなわち、筐体本体２１の横幅寸法と前後の長さ寸法および高さ寸法は、第１のカードＣ１および第２のカードＣ２の寸法よりもわずかに大きいだけであり、これに加えて最小限の大きさの収納凸部３５が部分的に突出しているだけである。
【００６４】
図８ないし図１０には、検知機構４０の構造が示されている。検知機構４０には可動検知部材４１が設けられている。可動検知部材４１は、合成樹脂製であり絶縁体である。可動検知部材４１には、後方（Ｙ２方向）へ突出する細幅のリブ４１ａが一体に形成されている。図７に示すように、筐体本体２１に設けられた機構凹部３６の後方（Ｙ２方向）には、横幅寸法が狭くなったガイド部３６ａが形成されている。前記リブ４１ａが前記ガイド部３６ａ内に摺動自在に挿通されて、可動検知部材４１の横方向（Ｘ方向）でのがたつきが防止されている。
【００６５】
図８に示すように、可動検知部材４１には右方向（Ｘ１方向）へ突出する一対の摺動突起４１ｂ，４１ｂが一体に形成されている。図７に示すように、前記収納凸部３５には、前後方向（Ｙ方向）に間隔を空けて上下方向に延びる一対の案内長穴３５ａ，３５ａが形成されており、前記摺動突起４１ｂ，４１ｂは、それぞれ前記案内長穴３５ａ，３５ａ内に挿入されている。よって、可動検知部材４１は前後方向（Ｙ方向）へ大きくがたつくことなく、上下方向へ移動自在に支持されている。
【００６６】
図８に示すように、可動検知部材４１には、保持軸部４１ｃが一体に形成されており、この保持軸部４１ｃの外周に、輪状の保持凹部４１ｄが形成されている。可動検知部材４１には、トーションばね４２が設けられている。トーションばね４２は導電性の金属線で形成され、その表面に金などの低抵抗金属層がメッキされている。トーションばね４２の巻き部４２ａは、保持軸部４１ｃの外周の保持凹部４１ｄ内に装着されている。トーションばね４２のそれぞれの腕部は、弾性可動接点４２ｂと弾性可動接点４２ｃとなっており、弾性可動接点４２ｂの先端と弾性可動接点４２ｃの先端で、トーションばね４２を形成する線材がＶ状に折り曲げられている。
【００６７】
筐体本体２１に形成されている前記機構凹部３６の底面には、一対の固定接点４３と固定接点４４が設けられている。固定接点４３と固定接点４４は、金属板であり、その表面には、金などの低抵抗金属層がメッキで形成されている。固定接点４３と固定接点４４は、機構凹部３６の合成樹脂製の底面の内部に埋め込まれており、固定接点４３の表面と固定接点４４の表面は、機構凹部３６の底面と同一面に現れている。そのため、固定接点４３および固定接点４４と、合成樹脂製の前記底面との間にほとんど段差が現れていない。
【００６８】
前記弾性可動接点４２ｂ，４２ｃは可動検知部材４１を常に上方へ付勢する付勢部材として機能している。図１０に示すように、可動接点部材４１が下向きに押し下げられているときに、弾性可動接点４２ｂが固定接点４３に接触し、弾性可動接点４２ｃが固定接点４４に接触して、トーションばね４２を介して、固定接点４３と固定接点４４とが導通させられる。図９に示すように、弾性可動接点４２ｂと弾性可動接点４２ｃの弾性力によって可動検知部材４１が持ち上げられると、弾性可動接点４２ｃが固定接点４４から離れ、固定接点４３と固定接点４４とが非導通状態となる。
【００６９】
前記可動検知部材４１の上面は、後方（Ｙ２方向）の部分が逃げ面４５ａで、前方（Ｙ１方向）の部分が押圧面４５ｂとなっている。押圧面４５ｂは逃げ面４５ａよりも上方へ突出している。
【００７０】
図１に示すように、筐体本体２１には蓋体５０が連結されている。蓋体５０は、金属板で折り曲げ形成されている。
【００７１】
蓋体５０には天井板５１が設けられている。天井板５１が、図２に示す閉鎖姿勢および図３に示すロック姿勢になると、前記筐体本体２１の収納空間３０の開口部が前記天井板５１で覆われる。図９と図１０は、天井板５１がロック姿勢となった状態を示しているが、カードコネクタ２０の高さ寸法（厚さ寸法）は、ほぼ筐体本体２１と天井板５１とを重ねた寸法である。
【００７２】
蓋体５０の右側部には、天井板５１から直角に折り曲げられた金属板によって右側板５２が形成され、蓋体５０の左側部には、天井板５１から直角に折り曲げられた金属板によって左側板５３が形成されている。右側板５２からは支持腕部５４が一体に延び、左側板５３からは支持腕部５５が一体に延びている。図１に示すように、支持腕部５４の基端部にはＸ２方向へ突出する支点軸５４ａが一体に隆起形成されている。また、図１１に示すように、支持腕部５５の基端部にも同様にＸ１方向へ突出する支点軸５５ａが一体に隆起形成されている。
【００７３】
図７に示すように、筐体本体２１の右側板２４の外面には、その後方（Ｙ２方向）部分に、軸支持部３８が形成されている。この軸支持部３８は右側板２４の外面からＸ１方向へ向けて凸状に形成されており、この軸支持部３８には前後方向（Ｙ方向）に延びる支持長穴３８ａが形成されている。図１１に示すように、筐体本体２１の左側板２５の外面では、前記軸支持部３８と対称な位置に軸支持部３９が形成されている。この軸支持部３９はＸ２方向へ向けて凸状に形成されており、且つ前後方向に延びる支持長穴３９ａを有している。
【００７４】
前記支持腕部５５の基端部に設けられた支点軸５４ａは、軸支持部３８に形成された支持長穴３８ａ内に回動自在で且つ前後方向（Ｙ方向）へ摺動自在に挿入されている。同様に、支持腕部５５の基端部に設けられた支点軸５５ａは、軸支持部３９に形成された支持長穴３９ａ内に回動自在で、且つ前後方向へ摺動自在に挿入されている。
【００７５】
蓋体５０の先部では、右側部と左側部の双方に掛止部５６，５６が直角に折り曲げられており、それぞれの掛止部５６，５６には、先方へ突出するフック部５６ａ，５６ａが一体に設けられている。一方、筐体本体２１の右側板２４の前方の外面にはロック凸部３７が突出し、同様に左側板２５の前方の外面にロック凸部３７が一体に形成されている。ロック凸部３７，３７は、右側板２４と左側面２５の表面から突出する金属板で形成されている。
【００７６】
図２と図５に示すように、蓋体５０が筐体本体２１の収納空間３０の開口部を覆う閉鎖姿勢へ回動した後に、蓋体５０を前方（Ｙ１方向）へスライドさせると、支点軸５４ａ，５５ａが支持長穴３８ａ，３９ａ内を前方（Ｙ１方向）へ動いて、図３と図６に示すように、前記フック部５６ａ，５６ａが、ロック凸部３７，３７の下側へ入り込んで蓋体５０がロック姿勢となる。このロック姿勢で、蓋体５０が筐体本体２１から離れる方向へ回動しないようにロックされる。
【００７７】
図１に示すように、蓋体５０の左側部に折り曲げられた左側板５３からは前方へ延びるロック板ばね５７が一体に形成されており、ロック板ばね５７の先部には、Ｘ１方向に向けて山形に折られた掛止部５７ａが形成されている。図７に示すように、筐体本体２１の左側板２５には、後方（Ｙ２方向）に位置する第１の掛止凹部２５ａと摺動壁部２５ｂおよび前方（Ｙ１方向）に位置する第２の掛止凹部２５ｃが順番に形成されている。
【００７８】
図２と図５に示すように、蓋体５０が閉鎖姿勢に閉じられた時点では、図１１（Ａ）に示すように、ロック板ばね５７の先部に形成された前記掛止部５７ａが、前記第１の掛止凹部２５ａの内部に入り込む。閉鎖姿勢の蓋体５０を前方へロック姿勢へ向けて移動させる間に、前記掛止部５７ａが前記摺動壁部２５ｂの外面を摺動し、図１１（Ｂ）に示すように、蓋体５０がロック姿勢になると、掛止部５７ａが摺動壁部２５ｂを乗り越えて前記第２の掛止凹部２５ｃ内に嵌合する。よって、蓋体５０は、ロック姿勢において軽くロックされ、ロック姿勢の蓋体５０が不用意に基部側であるＹ２側へ戻るのを防止できる。
【００７９】
図１および図８などに示すように、蓋体５０の右側部には検知板ばね５８が設けられている。この検知板ばね５８は、蓋体５０を構成する金属板の一部で一体に形成されており、弾性変形可能である。
【００８０】
検知板ばね５８には、先方に向けて延びる弾性腕部５８ａと、その先部において筐体本体２１に向けて山折りに形成された識別摺動部５８ｂと、この識別摺動部５８ｂの先部に延びる押圧作用部５８ｃとが一体に形成されている。
【００８１】
図１および図８などに示すように、外力が作用していないときに、弾性腕部５８ａは、天井板５１と同一平面に形成されて、所定の幅寸法でＹ１方向へ直線的に延びている。また、前記識別摺動部５８ｂは、天井板５１よりも筐体本体２１の方向へ突出しており、押圧作用部５８ｃは天井板５１とほぼ同一面上に位置している。
【００８２】
図２と図５に示すように、蓋体５０が閉鎖姿勢に回動したときには、弾性腕部５８ａと識別摺動部５８ｂが、筐体本体２１の収納空間３０の真上に対向している。ただし、押圧作用部５８ｃは、弾性腕部５８ａと識別摺動部５８ｂよりも右方向（Ｘ１方向）へ突出しており、押圧作用部５８ｃの一部が、機構凹部３６内の可動検知部材４１の上に対向できるようになっている。
【００８３】
（カードコネクタへのカードの装着動作）
次に、前記カードコネクタ２０へのカードの装着動作を説明する。
【００８４】
図１ないし図３は、カードコネクタ２０に第１のカードＣ１を装着する際の動作を示している。
【００８５】
図１に示すように、蓋体５０を筐体本体２１に対してほぼ９０度の開き角度となる開放姿勢に回動させた状態で、筐体本体２１の収納空間３０内に第１のカードＣ１を装着する。第１のカードＣ１は、その裏面１ｂが筐体本体２１の底板２６に向けられ、且つ前端部１ｃが前側板２２に向けられた姿勢で収納空間３０内に装着される。第１のカードＣ１が正常な姿勢で装着されると、第１のカードＣ１の裏面１ｂに設けられた複数の外部接続部５の各々が、筐体本体２１の収納空間３０内に設けられた接続端子３１に接触する。
【００８６】
ただし、図３に示すように、蓋体５０がロック姿勢となるまでは、第１のカードＣ１に設けられた外部接続部５は、筐体本体２１に設けられた接続端子３１に確実に押し付けられていないため、外部接続部５と接続端子３１の接触状態は不安定である。
【００８７】
蓋体５０を図１に示す開放姿勢から図２に示す閉鎖姿勢に回動させ、さらに、蓋体５０を前方（Ｙ１方向）へスライドさせると、蓋体５０に設けられた支点軸５４ａ，５５ａが筐体本体２１に形成された支持長穴３８ａ，３９ａ内を前方（Ｙ１方向）へ移動する。その結果、図３に示すように、蓋体５０に設けられたフック部５６ａ，５６ａが筐体本体２１に両側部に設けられたロック凸部３７，３７の下側に入り込んで、蓋体５０が開放しないようにロックされる。このとき図１１（Ｂ）に示すように、蓋体５０の左側部に設けられたロック板ばね５７の先部の掛止部５７ａが、筐体本体２１の左側板２５に形成された第２の掛止凹部２５ｃと嵌合し、蓋体５０が後方（Ｙ２方向）へ容易に移動しないように、すなわち、フック部５６ａ，５６ａがロック凸部３７，３７から容易に外れないように軽くロックされる。
【００８８】
図１ないし図３に示すように、筐体本体２１の収納空間３０内に第１のカードＣ１が正常な向きで装着されていると、第１のカードＣ１の両側部に形成されている識別溝６，６が、筐体本体２１の右側板２４と左側板２５の内側で上向きに配置される。ただし、第１のカードＣ１は、識別溝６の長さ寸法Ｌ１が短く、識別部の段差部である傾斜部６ｂが、検知機構４０を構成している可動検知部材４１よりも前方（Ｙ１側）に位置している。
【００８９】
そのために、図２に示すように、蓋体５０が閉鎖姿勢まで回動すると、蓋体５０に設けられている検知板ばね５８の先部の識別摺動部５８ｂが第１のカードＣ１の表面１ａに当たり、検知板ばね５８が上向きに変形させられる。検知板ばね５８は、上向きに曲げ変形している状態が第２の姿勢である。
【００９０】
図３および図９に示すように、閉鎖姿勢の蓋体５０をそのまま前方へスライドさせて、ロック姿勢に設定すると、識別摺動部５８ｂが第１のカードＣ１の表面１ａを前方へ摺動し、検知板ばね５８は上向きに変形したまま前方へ移動する。そのため、蓋体５０を閉鎖姿勢へ回動させたときとロック姿勢へスライドさせたときの双方において、検知板ばね５８の先端の押圧作用部５８ｃは、可動検知部材４１に当たることはない。
【００９１】
よって、第１のカードＣ１が装着されている状態で、蓋体５０を閉鎖姿勢からロック姿勢に移行するまでの間、図９に示すように、可動検知部材４１は、弾性可動接点４２ｂと弾性可動接点４２ｃとで持ち上げられ、弾性可動接点４２ｃが固定接点４４から外れて、固定接点４３と固定接点４４とが非導通状態である。
【００９２】
電子機器の回路基板には、カードコネクタ２０と共にＣＰＵを主体とした制御部が実装されている。この制御部では、次のようにして第１のカードＣ１が正常に装着されたことを認識する。
【００９３】
筐体本体２１の収納空間３０内へ第１のカードＣ１が正常な向きで装着されて、蓋体５０が図３に示すロック姿勢になると、第１のカードＣ１の裏面１ｂに設けられた個々の外部接続部５が、図７に示すように収納空間３０の底部に設けられた個々の接続端子３１に導通する。この時点で、制御部では、カードが収納空間３０内に正常な姿勢で装着されていることを認識する。例えば、この種のカードでは、複数の外部接続部５のいずれかが内部回路において互いに短絡しているのが一般的である。よって、制御部では、所定の接続端子３１どうしが互いに短絡したことを検知することで、カードが正常に装着されていると判断できる。
【００９４】
カードが正常に装着されたと判断したときに、検知機構４０に設けられた固定接点４３と固定接点４４とが短絡したか否かを確認し、短絡していないときに、装着されているのが第１のカードＣ１であると判断する。
【００９５】
図３および図９に示すように、第１のカードＣ１が装着されて蓋体５０がロック姿勢に移動したときには、蓋体５０に設けられた検知板ばね５８の識別摺動部５８ｂによって第１のカードＣ１の表面１ａが収納空間３０の底部に向けて押し付けられている。よって、第１のカードＣ１の裏面１ｂに設けられた外部接続部５と筐体本体２１に設けられた接続端子３１との接続が確実になり、外部振動などが作用しても導通状態を常に維持できる。
【００９６】
なお、このカードコネクタ２０の収納空間３０にカードが装着されていないときには、蓋体５０がロック姿勢にスライドしても、検知板ばね５８に外力が作用せず、弾性腕部５８ａが天井板５１と同一面上に位置している。このように、検知板ばね５８は、上方へ変形していないときが第１の姿勢である。このとき、検知板ばね５８の先部の押圧作用部５８ｃが可動検知部材４１の押圧面４５ｂの上に乗り上がる。図８に示す弾性可動接点４２ｂ，４２ｃが可動検知部材４１を押し上げようとする力よりも、検知板ばね５８の押圧作用部５８ｃが押圧面４５ｂを押し下げようとする力の方が大きいため、蓋体５０がスライドしてロック姿勢になったときに、可動検知部材４１が押し下げられる。図１０にも示すように、可動検知部材４１が押し下げられると、弾性可動接点４２ｂが固定接点４３に接触し、弾性可動接点４２ｃが固定接点４４に接触して、トーションばね４２によって固定接点４３と固定接点４４とが導通される。
【００９７】
前記検知機構４０では、カードが装着されていないときは、常に固定接点４３と固定接点４４とが導通状態で、第１のカードＣ１が正常な姿勢で装着され、蓋体５０がロック姿勢になると、図９に示すように固定接点４３と固定接点４４とが非導通状態となる。このように、カードが装着されていないときに固定接点を導通状態にしておくと、第１のカードＣ１が装着されたことを誤認識する確率を低くできる。例えば、逆の場合であって、カードが装着されてないときに固定接点４３と固定接点４４とが非導通状態であり、第１のカードＣ１が正常に装着されたときに固定接点４３と固定接点４４とが導通状態になる構造であると、カードが装着されていないときに、金属片などが固定接点４３と固定接点４４との間に介在したときに、第１のカードＣ１が装着されていないのにもかかわらず、装着状態であると誤認識するおそれがある。
【００９８】
次に、図４ないし図６に示すように、第２のカードＣ２の装着手順は、第１のカードＣ１の装着手順と同じである。
【００９９】
ただし、図１５に示すように、第２のカードＣ２に形成されている識別溝１６の長さ寸法Ｌ１１は、図１２に示す第１のカードＣ１の識別溝６の長さ寸法Ｌ１よりも長い。よって、図４に示すように、第２のカードＣ２が筐体本体２１の収納空間３０内へ正常な姿勢で装着されたときに、識別溝１６の後端部に位置する識別部として機能する傾斜部１６ｂが、検知機構４０よりも後方（Ｙ２方向）に位置している。そのため、図５に示すように、蓋体５０を閉鎖姿勢に回動させると、蓋体５０に設けられている検知板ばね５８の識別摺動部５８ｂが、識別溝１６の内部に入り込み、検知板ばね５８は変形しない。
【０１００】
このとき、検知板ばね５８は第１の姿勢であり、弾性腕部５８ａは天井板５１と同一面上に位置している。
【０１０１】
蓋体５０が閉鎖姿勢に回動すると、検知板ばね５８の先端部の押圧作用部５８ｃが可動検知部材４１の逃げ面４５ａに対向する。ただし、逃げ面４５ａは押圧面４５ｂよりも一段低い位置にあるため、第１の姿勢の検知板ばね５８に設けられた押圧作用部５８ｃが逃げ面４５ａに対向しても、可動検知部材４１が下向きに押し下げられることはなく、あるいは押し下げられたとしてもその下降距離はわずかである。よって、弾性可動接点４２ｃが固定接点４４から離れたままであり、固定接点４３と固定接点４４は非導通状態である。
【０１０２】
図５に示す閉鎖姿勢の蓋体５０を前方へスライドさせて、図６に示すようにロック姿勢に移行すると、検知板ばね５８の先部の識別摺動部５８ｂは、識別溝１６内を移動する。そして、図１０に示すように、検知板ばね５８の先端部の押圧作用部５８ｃが可動検知部材４１の上面の押圧面４５ｂに乗り上がり、押圧作用部５８ｃによって可動検知部材４１が押し下げられる。このとき、弾性可動接点４２ｃが固定接点４４に接触し、固定接点４３と固定接点４４がトーションばね４２を介して導通される。
【０１０３】
前記制御部では、カードの外部接続部５と図７に示す接続端子３１とが接続されていることを検知したときに、固定接点４３と固定接点４４との導通状態を確認し、導通していたら、装着されたのが第２のカードＣ２であると判断する。
【０１０４】
以上のように、制御部は、接続端子３１の状態と、固定接点４３と固定接点４４の導通状態を監視することで、第１のカードＣ１が装填されたか第２のカードＣ２が装填されたかを判断する。そして、制御部では第１のカードＣ１と第２のカードＣ２のそれぞれの仕様に適した制御動作を行う。例えば、第１のカードＣ１と第２のカードＣ２とで駆動電圧が相違するときには、各カードに異なる電圧を供給する。また、第１のカードＣ１と第２のカードＣ２とでメモリ容量が相違するときには、それぞれのカードのメモリ残量の情報を制御部に取り込んで、その後の記録データ量の調整が行なわれる。
【０１０５】
（その他の実施の形態）
なお、前記カードコネクタ２０での検知機構４０を使用した制御は、第１のカードＣ１と第２のカードＣ２の種別検知以外に使用することができる。
【０１０６】
例えば、カードに、検知板ばね５８の識別摺動部５８ｂが入り込む溝が設けられているとともに、この溝を塞ぐ切換え部材が設けられていてもよい。この場合、前記溝に識別摺動部５８ｂが入り込んで、可動検知部材４１が押し下げられるか、または前記溝を塞ぐ切換え部材に識別摺動部５８ｂが乗り上がって可動検知部材４１が持ち上がった状態になるか否かで、溝が塞がれているか否かを検知できる。例えば、溝が塞がれていないカードは書き込みや記録情報の消去が自由であり、溝が塞がれているカードは書き込みや消去が禁止されたものである。このように、検知機構４０を使用して、書き込みや消去を禁止しているカードであるか否かを識別できる。
【０１０７】
また、前記実施の形態では、筐体本体２１に設けられた接続端子３１がカードの外部接続部５に接触したことを検知することで、カードが装着されたか否かを確認しているが、接続端子３１と外部接続部５との接触で検知するのではなく、検知機構４０を使用して、カードが装着されてか否かを判断することも可能である。
【０１０８】
例えば、図９に示すように、筐体本体２１にカードが装着され、検知板ばね５８の識別摺動部５８ｂがカードの上に乗り上がって、可動検知部材４１が持ち上げられたら、カードが装着されたと判断し、蓋体５０をロック姿勢としたときに可動検知部材４１が下降していれば、カードが装着されていないと判断してもよい。
【０１０９】
また、前記検知機構４０を、蓋体５０がロック姿勢に設定されたか否かを検知するためにのみ用いてもよい。この場合に使用されるカードは、第２のカードＣ２のように、識別摺動部５８ｂと対向する場所に溝が形成されている。蓋体５０が閉鎖姿勢へ回動した時点では、検知板ばね５８の識別摺動部５８ｂが前記溝内に入り込んでも、押圧作用部５８ｃが可動検知部材４１の逃げ面４５に対向するために、可動検知部材４１が押し下げられることはない。しかし、その後、蓋体５０を前方へスライドさせてロック姿勢とすると、図１０に示したのと同様に、押圧作用部５８ｃが可動検知部材４１の押圧面４５ｂの上に乗り上がり、可動検知部材４１が押し下げられる。よって、固定接点４３と固定接点４４とが導通状態になった時点で、蓋体５０がロック姿勢に至ったと判断できる。
【０１１０】
また、前記実施の形態では、機構凹部３６の内部で可動検知部材４１が上下に平行な姿勢で上下動するが、この可動検知部材のＹ２側の端部に支点が設けられ、可動検知部材がこの支点を中心として上下に回動するものであってもよい。
【図面の簡単な説明】
【０１１１】
【図１】本発明の実施の形態のカードコネクタに第１のカードを装着している状態を示す斜視図、
【図２】カードコネクタに第１のカードを装着し、蓋体を閉鎖姿勢としたときの斜視図、
【図３】カードコネクタに第１のカードを装着し、蓋体をロック姿勢としたときの斜視図、
【図４】本発明の実施の形態のカードコネクタに第２のカードを装着している状態を示す斜視図、
【図５】カードコネクタに第２のカードを装着し、蓋体を閉鎖姿勢としたときの斜視図、
【図６】カードコネクタに第２のカードを装着し、蓋体をロック姿勢としたときの斜視図、
【図７】筐体本体の斜視図、
【図８】検知機構の構造を示す拡大斜視図、
【図９】第１のカードが装着されたときの検知機構の動作を示す右側面図、
【図１０】第２のカードが装着されたときの検知機構の動作を示す右側面図、
【図１１】（Ａ）（Ｂ）は、蓋体が閉鎖姿勢からロック姿勢へスライドするときのロック板ばねの動作を示す左側面図、
【図１２】第１のカードの平面図、
【図１３】第１のカードの左側面図、
【図１４】第１のカードを下から見た斜視図、
【図１５】第２のカードの平面図、
【符号の説明】
【０１１２】
Ｃ１  第１のカード
Ｃ２  第２のカード
１，１１  ケース
１ａ  表面
１ｂ  裏面
１ｃ  前端部
１ｄ  後端部
１ｅ  右側部
１ｆ  左側部
５  外部接続部
６，１６  識別溝
６ｂ，１６ｂ  傾斜部（識別部、段差部）
７，１７  薄肉部
８  中間凹部
２０  カードコネクタ
２１  筐体本体
２２  前側板
２３  後側板
２４  右側板
２４ａ  内側面
２５  左側板
２５ａ，２５ｃ  掛止凹部
２６  底板
３０  収納空間
３１  接続端子
３６  機構凹部
４０  検知機構
４１  可動検知部材
４２  トーションばね
４２ｂ，４２ｃ  弾性可動接点
４３，４４  固定接点
５０  蓋体
５４ａ  支点軸
５７  ロック板ばね
５８  検知板ばね
５８ａ  弾性腕
５８ｂ  識別摺動部
５８ｃ  押圧作用部
【図１】
2009110709.tif 000003
【図２】
2009110709.tif 000004
【図３】
2009110709.tif 000005
【図４】
2009110709.tif 000006
【図５】
2009110709.tif 000007
【図６】
2009110709.tif 000008
【図７】
2009110709.tif 000009
【図８】
2009110709.tif 000010
【図９】
2009110709.tif 000011
【図１０】
2009110709.tif 000012
【図１１】
2009110709.tif 000013
【図１２】
2009110709.tif 000014
【図１３】
2009110709.tif 000015
【図１４】
2009110709.tif 000016
【図１５】
2009110709.tif 000017